(57)【要約】【課題】水処理装置の曝気槽や泡沫分離槽等において使用する空気の余剰分を利用して低コストでスカムを回収することが可能なスカム回収方法およびスカム回収装置の提供。【解決手段】水面より上方に配置された筒状部２と、筒状部２内に向けて空気を吹き込む空気ノズル４と、水処理装置に備えられた空気移送設備１１から余剰空気を空気ノズル４へ分岐させる配管３とを有し、水面上のスカムＳ0は、水処理装置に備えられた空気移送設備１１から分岐され、空気ノズル４から吹き込まれる空気により、周囲の空気とともに筒状部２内に送り込まれ、この筒状部２内面を進行することにより濃縮、凝縮される。【選択図】図１
2007222791.tif 000002
【特許請求の範囲】
【請求項１】
水面より上方に配置された筒状部内に向けて空気ノズルから空気を吹き込むことにより、周囲の空気とともに前記水面上のスカムを前記筒状部内に送り込むこと、
前記スカムを、前記筒状部内面を進行させることにより濃縮、凝縮して回収すること
を含むスカム回収方法。
【請求項２】
水処理装置により発生するスカムを回収するスカム回収装置であって、
水面より上方に配置された筒状部と、
前記筒状部内に向けて空気を吹き込む空気ノズルと、
前記水処理装置に備えられた空気移送設備から余剰空気を前記空気ノズルへ分岐させる配管と
を有するスカム回収装置。
【請求項３】
前記筒状部の排出口から排出される前記スカムの凝縮体を集めてさらに濃縮、凝縮する回収箱を有する請求項２記載のスカム回収装置。
【発明の詳細な説明】
【技術分野】
【０００１】
本発明は、水処理装置の曝気槽や泡沫分離槽等において発生する泡や浮遊物等のスカムを回収、処理するスカム回収方法およびスカム回収装置に関する。
【背景技術】
【０００２】
従来、水処理装置の曝気槽や泡沫分離槽等において発生した泡や浮遊物等のスカムは、オーバーフローによって多量の水と一緒に排出したり、回転式スクリーンで掻き取ったり、高圧エアーによって吹き飛ばしたり、密閉蓋をして泡を凝縮させ、外へと繋がるパイプから圧力にて排出したりしている。
【０００３】
また、例えば、特許文献１に記載のように真空ポンプによりスカムを強制吸引したり、特許文献２に記載のようにスカム流入口に取り付けられた回転羽根により水面上のスカムをスカム吸引管内に流し込み、スカム吸引管の中の水をエアーリフト式ポンプで移送したり、特許文献３に記載のように圧力水のスプレーによりスカムを移送してスカム吸込口まで寄せ集め、ジェットポンプにより吸引排出したりしている。
【０００４】
【特許文献１】特開平１１−２７７０５６号公報
【特許文献２】特開２００２−２３３８６７号公報
【特許文献３】特開平８−７１５５１号公報
【発明の開示】
【発明が解決しようとする課題】
【０００５】
上記従来のスカム回収方法の場合、オーバーフローによるものでは多量の水が無駄となる。また、回転式スクリーンを用いるものやポンプにより強制的に吸引するものでは余計な動力や設備費が必要となる。高圧エアーによって吹き飛ばすものではスカムの飛散、再溶出や、回収率が悪いという問題がある。密閉蓋をするものではスカムの再溶解、回収率の低下という問題がある。また、蓋に起因する内部確認の難しさ、メンテナンスの難しさがある。
【０００６】
そこで、本発明においては、水処理装置の曝気槽や泡沫分離槽等において使用する空気の余剰分を利用して低コストでスカムを回収することが可能なスカム回収方法およびスカム回収装置を提供することを目的とする。
【課題を解決するための手段】
【０００７】
本発明のスカム回収方法は、水面より上方に配置された筒状部内に向けて空気ノズルから空気を吹き込むことにより、周囲の空気とともに水面上のスカムを筒状部内に送り込むこと、このスカムを、筒状部内面を進行させることにより濃縮、凝縮して回収することを含む。
【０００８】
本発明のスカム回収方法によれば、水面上のスカムが、空気ノズルにより筒状部内に向けて吹き込まれる空気により、周囲の空気とともに筒状部内に送り込まれ、この筒状部内面を進行することにより濃縮、凝縮される。水面上のスカムは非常に軽く、空気ノズルにより筒状内に吹き込む空気は、この水面上のスカムを筒状部内を周囲の空気とともに徐々に通過させるだけでよいため、水処理装置に備えられた空気移送設備から分岐させた余剰空気で充分である。
【０００９】
本発明のスカム回収装置は、水面より上方に配置された筒状部と、筒状部内に向けて空気を吹き込む空気ノズルと、水処理装置に備えられた空気移送設備から余剰空気を空気ノズルへ分岐させる配管とを有するものである。本発明のスカム回収装置によれば、水面上のスカムが、水処理装置に備えられた空気移送設備から分岐され、空気ノズルから筒状部内に向けて吹き込まれる空気により、周囲の空気とともに筒状部内に送り込まれ、この筒状部内面を進行することにより濃縮、凝縮される。
【００１０】
また、本発明のスカム回収装置は、筒状部の排出口から排出されるスカムの凝縮体を集めてさらに濃縮、凝縮する回収箱を有することが望ましい。一旦濃縮、凝縮されたスカムの凝縮体を回収箱に集めて放置することにより、このスカムの凝縮体はさらに濃縮、凝縮され、減容化されるので、この凝縮したスカムを移送しやすくなる。
【発明の効果】
【００１１】
（１）水面より上方に配置された筒状部内に向けて空気ノズルから空気を吹き込むことにより、周囲の空気とともに水面上のスカムを筒状部内に送り込み、スカムを、筒状部内面を進行させることにより濃縮、凝縮して回収する構成により、水処理装置の曝気槽や泡沫分離槽等において使用する余剰空気を利用してスカムを回収することが可能となる。これにより、新たに動力を追加する必要がないので設備費は安価であり、追加のランニングコストも発生しない。また、スカムは、水面より上方に配置された筒状部内へ送り込まれることにより、速やかに系外に排出されるため、水へ再溶解することがなく、水質への負荷が軽減されるとともに、臭気が軽減され、さらに後処理も容易となる。
【００１２】
（２）筒状部の排出口から排出されるスカムの凝縮体を集めてさらに濃縮、凝縮する回収箱を有することにより、一旦濃縮、凝縮されたスカムの凝縮体がさらに回収箱内で濃縮、凝縮され、減容化されるので、この凝縮したスカムを移送しやすくなる。
【発明を実施するための最良の形態】
【００１３】
図１は本発明の実施の形態におけるスカム回収装置の概略構成を示す断面図である。
図１において、本発明の実施の形態におけるスカム回収装置１は、水処理装置の曝気槽や泡沫分離槽等の水槽１０に設けられた筒状部２と、曝気槽や泡沫分離槽等に備えられた既設のエアーポンプ、ブロアーやコンプレッサ等の空気移送設備１１から空気を分岐させる配管３と、配管３に接続され、筒状部２の流入口２ａに向けて空気を吹き込む空気ノズル４と、筒状部２の排出口２ｂの下方に設けられた回収箱５とを有する。
【００１４】
本実施形態において筒状部２は、円形断面を有し、内径５０ｍｍ程度、長さ１００〜２００ｍｍ程度の長筒である。筒状部２は、水面（Ｗ．Ｌ）より上方に配置され、水槽１０内の水は筒状部２内に入らない高さに設定されている。また、空気ノズル４は、円形断面を有する内径３〜１０ｍｍ程度のノズルであり、その吐出口４ａは筒状部２の流入口２ａの中心部へ向けられている。筒状部２の流入口２ａと空気ノズル４の吐出口４ａとの間は約３０ｍｍである。また、配管３によりこの空気ノズル４に分岐させる空気の流量は約１０〜１００Ｌ／ｍｉｎである。
【００１５】
なお、筒状部２の断面形状、内径および長さや、空気ノズル４の吐出口４ａの内径、筒状部２の流入口２ａとの距離等については任意に設定であるが、エアーの推進力を利用して周囲の空気を巻き込むための力が発生する条件を作ることが不可欠であるという理由により、空気ノズルの吐出口４ａと筒状部２の内径の比は、１：７．５〜２０程度、筒状部２の内径と筒状部２の長さの比は、１：２〜１０程度、筒状部２の流入口２ａと空気ノズル４の距離は、−１０〜３０ｍｍ程度に設定することが望ましい。なお、筒状部２の流入口２ａと空気ノズル４の距離がマイナスの数値を示すのは、空気ノズル４が筒状部２内へ突き出している状態を指す。
【００１６】
水面上のスカムＳ0は、空気ノズル４により筒状部２内に吹き込まれる空気により、周囲の空気とともに筒状部２内に送り込まれる。筒状部２内に送り込まれたスカムＳ0は、筒状部２内面を徐々に進行しながら、空気ノズル４により吹き込まれた空気と接触することにより濃縮、凝縮される。そして、この濃縮、凝縮された凝縮体Ｓ1は、筒状部２の排出口２ｂから回収箱５内へ落下し、回収箱５内でさらに濃縮、凝縮され、排出される。
【００１７】
このように、本実施形態におけるスカム回収装置１では、水処理装置の曝気槽や泡沫分離槽等において使用する余剰空気を利用して水面上のスカムＳ0を回収することが可能となる。これにより、新たに動力を追加する必要がないので設備費は安価となり、追加のランニングコストも発生しない。また、スカムＳ0は、水面より上方に配置された筒状部２内へ送り込まれることにより、速やかに系外に排出されるため、水へ再溶解することがなく、水質への負荷が軽減されるとともに、臭気が軽減され、さらに後処理も容易である。
【００１８】
また、本実施形態におけるスカム回収装置１では、筒状部２の排出口２ｂから排出されるスカムの凝縮体Ｓ1を集めてさらに濃縮、凝縮する回収箱５を有するので、筒状部２内で一旦濃縮、凝縮されたスカムの凝縮体Ｓ1がさらに回収箱５内で濃縮、凝縮され、減容化されるので、この凝縮したスカムを移送しやすくなり、後処理が容易である。また、筒状部２等を複数設置した場合、この回収箱５に集合して回収することが可能である。
【産業上の利用可能性】
【００１９】
本発明のスカム回収方法およびスカム回収装置は、水処理装置の曝気槽や泡沫分離槽等において発生する泡や浮遊物等のスカムを回収、処理する方法および装置として有用である。
【図面の簡単な説明】
【００２０】
【図１】本発明の実施の形態におけるスカム回収装置の概略構成を示す断面図である。
【符号の説明】
【００２１】
１  スカム回収装置
２  筒状部
２ａ  流入口
２ｂ  排出口
３  配管
４  空気ノズル
４ａ  吐出口
５  回収箱
１０  水槽
１１  空気移送設備
Ｓ0  スカム
Ｓ1  凝縮体
【図１】
2007222791.tif 000003